(57)【要約】【課題】毛髪を乾燥したり加熱したりする際にハンドル部を握ってヘアドライヤを振り動かす必要がなく、毛髪が過熱されることによる損傷を防止させ、吹出される空気流に毛髪の潤い感とツヤ感を高め、しっとりサラサラでまとまりのある髪に仕上げることができるエアディフレクタ及びヘアドライヤの提供。【解決手段】ヘアドライヤ又はエアディフレクタの空気通路に首振りノズル２８を設け、空気路３４を通る空気流によって空気の方向を連続的に変化させるように首振り可能に設け、首振りノズルの表面に遠赤外線放射材料パウダーと多元素鉱物ミネラルパウダーを混合した混合パウダーをコーティングしたセラミックスコーティング層を設けた。【選択図】図１５
2014151045.tif 000002
【特許請求の範囲】
【請求項１】
ヘアドライヤの空気吹出口に着脱可能に装着されるエアディフレクタであって、
ハウジングの内部に形成された空気通路に首振りノズルが設けられ、
前記首振りノズルは空気流入口から空気流出口に至る空気路を備え、かつ前記首振りノズルは前記空気路を通る空気流によって空気流出口から放出する空気の方向を連続的に変化させるように首振り可能に設けられ、
かつ前記首振りノズルの表面に、遠赤外線放射材料パウダーと多元素鉱物ミネラルパウダーを混合した混合パウダーをコーティングしたセラミックスコーティング層が設けられていることを特徴とするエアディフレクタ。
【請求項２】
空気吸込み口から空気吹出口に至る空気通路を備えたヘアドライヤであって、
前記空気通路内に首振りノズルが設けられ、
前記首振りノズルは空気流入口から空気流出口に至る空気路を備え、かつ前記首振りノズルは前記空気路を通る空気流によって空気流出口から放出する空気の方向を連続的に変化させるように首振り可能に設けられ、
かつ前記首振りノズルの表面に、遠赤外線放射材料パウダーと多元素鉱物ミネラルパウダーを混合した混合パウダーをコーティングしたセラミックスコーティング層が設けられていることを特徴とするヘアドライヤ。
【発明の詳細な説明】
【技術分野】
【０００１】
本発明は、毛髪処理装置としてのヘアアドライヤに着脱可能に装着して使用するエアディフレクタ及びヘアドライヤに関する。  
【背景技術】
【０００２】
毛髪処理装置としてのヘアドライヤは加熱空気流を生成して、例えばスタイリングの目的のためにユーザの毛髪を乾燥したり加熱したりするためのもので、付属部品としてのエアディフレクタを先端の空気吹出口に着脱可能に装着して使用する場合がある（特許文献１参照）。
【０００３】
ヘアドライヤは、内部に空気通路が形成されたシリンダに隣接してハンドル部が設けられ、空気（加熱または非加熱）は、通常、シリンダの長手方向に沿って空気吹出口から一方向のみに放出される。
尚、ヘアドライヤにエアディフレクタを装着した場合は、このエアディフレクタの空気流出口から一方向のみに放出される。
【０００４】
このように、空気が空気吹出口から一方向のみに放出されると、ユーザが広い面積で毛髪を乾燥したり加熱したりする場合には、ヘアドライヤのハンドル部を握ってヘアドライヤ全体を振り動かすという動作を行う必要がある。
逆に、不注意等によって熱風がユーザの毛髪のごく一部にだけ当て続けられると、ユーザの毛髪のその部分が過熱され、毛髪が損傷する場合がある。
【先行技術文献】
【特許文献】
【０００５】
【特許文献１】実用新案登録第３１７５２５７号公報
【発明の概要】
【発明が解決しようとする課題】
【０００６】
本発明は、エアディフレクタの空気流出口又はヘアドライヤの空気吹出口から放出される空気流によって自動的に空気の向きを可変できるようにすることで、ユーザが広い面積で毛髪を乾燥したり加熱したりする場合に、ハンドル部を握ってヘアドライヤ全体を振り動かすという動作を行う必要がなく、又、局部的に毛髪が過熱されることによる損傷を防止でき、更にエアディフレクタの空気流出口又はヘアドライヤの空気吹出口から放出される空気流に遠赤外線効果と電磁波効果を及ぼし、毛髪の潤い感とツヤ感を高め、しっとりサラサラでまとまりのある髪に仕上げることができるヘアドライヤ及びエアディフレクタを提供することを課題としている。
【課題を解決するための手段】
【０００７】
上記の課題を解決するために、本発明の請求項１にかかるエアディフレクタは、
ヘアドライヤの空気吹出口に着脱可能に装着されるエアディフレクタであって、
ハウジングの内部に形成された空気通路に首振りノズルが設けられ、
前記首振りノズルは空気流入口から空気流出口に至る空気路を備え、かつ前記首振りノズルは前記空気路を通る空気流によって空気流出口から放出する空気の方向を連続的に変化させるように首振り可能に設けられ、
かつ前記首振りノズルの表面に、遠赤外線放射材料パウダーと多元素鉱物ミネラルパウダーを混合した混合パウダーをコーティングしたセラミックスコーティング層が設けられている構成とした。
【０００８】
又、本発明の請求項２にかかるヘアドライヤは、
空気吸込み口から空気吹出口に至る空気通路を備えたヘアドライヤであって、
前記空気通路内に首振りノズルが設けられ、
前記首振りノズルは空気流入口から空気流出口に至る空気路を備え、かつ前記首振りノズルは前記空気路を通る空気流によって空気流出口から放出する空気の方向を連続的に変化させるように首振り可能に設けられ、
かつ前記首振りノズルの表面に、遠赤外線放射材料パウダーと多元素鉱物ミネラルパウダーを混合した混合パウダーをコーティングしたセラミックスコーティング層が設けられている構成とした。
【発明の効果】
【０００９】
本発明は、空気通路に首振りノズルを設けている。
この首振りノズルは内部の空気路を通る空気流によって空気の放出方向を連続的に変化させるように首振り可能に設けられている。
従って、前記首振りノズルの首振り動作によってユーザが広い面積で毛髪を乾燥したり加熱したりする場合に、ヘアドライヤのハンドル部を握ってヘアドライヤ全体を振り動かすという動作を行う必要がないし、局部的に毛髪が過熱されることによる損傷を防止することができる。
【００１０】
特に、本発明は首振りノズルの表面に、遠赤外線放射材料パウダーと多元素鉱物ミネラルパウダーを混合した混合パウダーをコーティングしたセラミックスコーティング層を設けた構成に特徴がある。
【００１１】
セラミックスコーティング層の構成素材である遠赤外線放射材料パウダーから放射される遠赤外線は、毛髪を内部から温めることができるため、外部からだけの加熱と異なり短い時間で毛髪の乾燥やブローセットが可能になる。
【００１２】
又、多元素鉱物ミネラルパウダーから放射される４〜１４μの波長の電磁波（微弱エネルギー）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００１３】
そこで、この電磁波（微弱エネルギー）を温風又は冷風として毛髪や頭皮に当てることにより、毛髪や頭皮中の水分をミネラル化して毛髪や頭皮の中の蛋白質を活性化し、常に健康毛でツヤのある毛髪とすることができる。
また、前記電磁波を温風又は冷風として毛髪や頭皮に当てることにより、ヘアカラー、パーマなどの薬液等により損傷した毛髪やセットしにくい毛髪に対してもきれいにセットすることができる。
また、ヘアカラー、酸性カラー等の施術に際しても電磁波の作用であるクラスター現象（水の分子を小さくさせる力）によりヘアカラー、酸性カラーの定着がよくなる。
【図面の簡単な説明】
【００１４】
【図１】エアディフレクタをヘアドライヤから取り外した状態の斜視図。
【図２】エアディフレクタをヘアドライヤに装着した状態の斜視図。
【図３】実施例１のエアディフレクタの斜視図。
【図４】そのエアディフレクタの正面図。
【図５】そのエアディフレクタの上面図。
【図６】そのエアディフレクタの側面図。
【図７】そのエアディフレクタ内の首振りノズルを示す斜視図。
【図８】その首振りノズルの正面図。
【図９】その首振りノズルの上面図。
【図１０】その首振りノズルの側面図。
【図１１】図９の線Ａ−Ａに沿った断面図。
【図１２】図１０の線Ｂ−Ｂに沿った断面図。
【図１３】そのエアディフレクタの内部を示す一部切欠斜視図。
【図１４】そのエアディフレクタの内部を示す一部切欠斜視図。
【図１５】図５の線Ｃ−Ｃに沿ったエアディフレクタを形成する部品の分解斜視図。
【図１６】図５の線Ｃ−Ｃに沿ったエアディフレクタを形成する部品の分解断面斜視図。
【図１７】実施例２にかかるエアディフレクタの一部切欠斜視図。
【図１８】そのエアディフレクタの一部切欠側面図。
【図１９】そのエアディフレクタの一部切欠上面図。
【図２０】そのエアディフレクタの一部切欠正面図。
【図２１】ロック板がロック解除位置にある状態のエアディフレクタを示す上面図。
【図２２】ロック板がロック解除位置にある状態のエアディフレクタの上面斜視図。
【図２３】ロック板がロック位置にある状態のエアディフレクタを示す上面図。
【図２４】ロック板がロック位置にある状態のエアディフレクタを示す上面斜視図。
【図２５】ロック板がロック解除位置にある状態のエアディフレクタを示す上面図。
【図２６】ロック板がロック解除位置にある状態のエアディフレクタの上面斜視図。
【図２７】首振りノズルが最も左の位置にある時のエアディフレクタを示す断面図。
【図２８】首振りノズルが中央位置にある時のエアディフレクタを示す断面図。
【図２９】首振りノズルが最も右の位置にある時のエアディフレクタを示す断面図。
【図３０】実施例３にかかるヘアドライヤの先端部を示し、ロック板がロック位置にある状態の平面断面図。
【図３１】そのロック板がロック解除位置にある状態の平面断面図。
【図３２】そのロック板がロック位置にある状態の側面断面図。
【図３３】そのロック板がロック解除位置にある状態の平面断面図。
【図３４】実施例３にかかるヘアドライヤの先端部を示し、首振りノズルの首振り軸が垂直位置にある状態の正面説明図。
【図３５】その首振りノズルの首振り軸を水平位置に回転させた状態の正面説明図。
【発明を実施するための形態】
【００１５】
図１はエアディフレクタ１２をヘアドライヤ１０から取り外した状態を示し、図２はエアディフレクタ１２をヘアドライヤ１０に装着した状態を示している。
【００１６】
ヘアドライヤ１０は、空気吸込口１４及び空気吹出口１６を有しており、その間に空気通路（図示せず）が形成され、前記空気吸込口１４を介して外部から空気通路内に空気を引き込み、空気吹出口１６から外部に吹出すように形成されている。
【００１７】
このときの空気流を推進するために、電気的に作動する空気流発生器（例えば、ファン）が空気通路の内部に設けられている。さらに、空気通路内で空気流発生器の下流には、加熱素子（例えば、加熱フィラメント）が設けられており、動作中、加熱素子は毛髪を乾燥または加熱するために、空気通路に入った空気の温度を上昇させる。
又、ヘアドライヤ１０には、ヘアドライヤ１０のオン／オフ、空気流発生器の動作速度（空気吹出口１６から出る空気の流量）、ならびに加熱素子の温度（空気吹出口１６から吹き出される空気流の温度）などを制御するための複数のボタン１８ａ、１８ｂ、１８ｃが設けられている。
【００１８】
前記エアディフレクタ１２は、一方の長手方向端部に空気流入口２０が形成され、反対側の長手方向端部に空気流出口２２が設けられ、その間に空気通路（図示せず）が形成されている。
空気流入口２０を有するエアディフレクタ１２の長手方向端部には、ヘアドライヤ１０の空気吹出口１６と着脱可能に螺合するためのネジ部が形成されている。
かかる構成により、ヘアドライヤ１０の空気吹出口１６から出た空気が、エアディフレクタ１２の空気流入口２０に入る。
尚、エアディフレクタ１２のヘアドライヤ１０に対する他の着脱構造としては、例えば、圧力嵌め構造又は摩擦嵌め構造でも可能である。
【実施例１】
【００１９】
図３〜図１６は実施例１にかかるエアディフレクタ１２を示している。
図３〜図６に示すように、エアディフレクタ１２は、略円筒形のハウジング２４及びスイッチ２６を有し、前記ハウジング２４の内部に形成された空気流路に首振りノズル２８が設けられている。
【００２０】
図７〜図１２は首振りノズル２８を示している。
この首振りノズル２８は、図１２に示すように、一方の長手方向端部に空気流入口３０が形成され、反対側の長手方向端部に空気流出口３２が形成され、それらの間には空気路３４が形成されている。
【００２１】
以下に、首振りノズル２８の構造を説明する。
空気流出口３２の面積は、空気流入口３０の面積より小さい。
首振りノズル２８は、ハウジング２４に組み込まれた時に、首振り軸Ｌ−Ｌを中心に首振りでき、この首振り軸Ｌ−Ｌはハウジング２４に対して固定される。
又、図８で示すように、（図８の位置関係で）首振りノズル２８の右側部分３６は左側部分３８よりも厚く形成され、従って、首振りノズル２８の重さは、図９に示す中心長手方向軸Ａ−Ａ及び図８に示す首振り軸Ｌ−Ｌを含む長手方向平面に関して非対称に分布する。言い換えると、首振りノズル２８の重心は、中心長手方向軸Ａ−Ａ及び首振り軸Ｌ−Ｌを含む長手方向平面から離れた位置に存在する。より具体的には、首振りノズル２８の重心は、中心長手方向軸Ａ−Ａ及び首振り軸Ｌ−Ｌを含む長手方向平面の右側にある。
又、首振りノズル２８の空気流出口３２の内縁部に沿って２つの狭いリム４０が形成され、このリム４０は両方とも首振りノズル２８の中心長手方向軸Ａ−Ａに向かって内側に突出している。
【００２２】
図１３及び図１４に示すように、首振りノズル２８は、ハウジング２４内に組み込まれた時に、ハウジング２４の範囲内で、かつ１８０度未満の角度内で、首振り軸Ｌ−Ｌを中心に首振りするように、ハウジング２４に軸着されている。
【００２３】
図１５及び図１６でより明確に示されているように、エアディフレクタ１２は、共通の中心長手方向軸Ｍ−Ｍを有する前面カバー４２、本体４４、及び後端部分４６を備えたハウジング２４を有している。
首振りノズル２８は、直径方向両側に配置された２つのピン４８、５０を備え、ピン４８は本体４４の上側穴５２内に受け止められ、ピン５０は本体４４の下側穴５３（図１６を参照）内に受け止められる。
従って、首振りノズル２８は、ピン４８、５０を結ぶ軸Ｌ−Ｌを中心にハウジング２４の本体４４に対して自由に首振りできる。
【００２４】
動作時には、エアディフレクタ１２がヘアドライヤ１０の空気吹出口１６に装着されると、ヘアドライヤ１０の空気流出口１６から出る空気（加熱または非加熱）は、エアディフレクタ１２の空気入口２０から首振りノズル２８の空気流入口３０に入り、空気路３４を通って空気流出口３２を出てエアディフレクタ１２の空気出口２２から放出される。
【００２５】
首振りノズル２８の空気流入口３０から空気流出口３２に至る（つまり、首振りノズル２８内を通る）空気の流れは、軸Ｌ−Ｌを中心に首振りノズル２８を首振り運動させるため、首振りノズル２８から出る空気の方向、ひいてはエアディフレクタ１２から出る空気の方向を連続的に変化させることができる。
【００２６】
首振りノズル２８の重さが、中心長手方向軸Ａ−Ａ及び首振り軸Ｌ−Ｌを含む長手方向平面に関して非対称に分布するという事実により、首振りノズル２８が中央位置にある時でも、首振りノズル２８の内面に衝突する空気の反作用の力が釣り合わないため、確実に、首振りノズル２８の連続的な首振り運動が起きる。首振りノズル２８の空気流出口３２の内縁部に沿った２つのリム４０の存在が首振り運動を強化する。
【００２７】
図１６からわかるように、後端部分４６は互いに一体的に形成された外殻部６４及び内側ファンネル部（漏斗状部分）６６を備える。ファンネル部６６の内側開口端６７は、首振りノズル２８の空気流入口３０を通して首振りノズル２８内に受け入れられる。かかる構成により、ヘアドライヤ１０からのすべての空気がファンネル部６６を通して後端部分４６（ひいては、エアディフレクタ１２のハウジング２４）に入る。
これはヘアドライヤ１０からのすべての空気が、首振りノズル２８に入って、首振りノズル２８を首振り運動させることを意味する。次いで、すべてのかかる空気は首振りノズル２８の空気流出口３２を出て、最終的に、エアディフレクタ１２の空気流出口２２から放出される。
【００２８】
スイッチ２６はハウジング２４の中心長手方向軸Ｍ−Ｍに平行である図１５の両矢印に沿った方向Ｇ−Ｇに本体４４の外面５６上のスロット５４に沿って前後に摺動自在になっている。
スイッチ２６は湾曲凹部６０を備えた線ばね５８と係合される。
動作中、首振りノズル２８が中央位置にある時に、スイッチ２６を、例えばユーザが手動で、バネ５８を押すために動かすことは可能であり、そうすれば、首振りノズル２８から上方に伸びる突起６２と凹部６０を係合させて、首振りノズル２８の首振りを防ぐことができるため、首振りノズル２８を通して空気が流れても首振りノズル２８はロックされる。
その後、ユーザは、突起６２からスイッチ２６が離れるように移動させて、線ばね５８を突起６２から解放することができ、そうすれば、首振りノズル２８のロックを解除して、首振りノズル内を空気が通った際に首振りノズルが首振りすることが可能になる。
【００２９】
上述の説明及び関連する図面において、エアディフレクタ１２は、首振りノズル２８の首振り軸Ｌ−Ｌが（図４の位置関係で）垂直である構成で、ヘアドライヤ１０の空気吹出口１６と係合可能であると説明及び図示されており、この場合、首振りノズル２８は、（図４の位置関係で）水平に首振りしうる。
別の構成において、エアディフレクタ１２は、首振りノズル２８の首振り軸Ｌ−Ｌが９０度だけ回転されて（図４の位置関係で）水平になるように、ヘアドライヤ１０の空気吹出口１６と係合され、この場合、首振りノズル２８は、（図４の位置関係で）上下に首振りしうる。
さらに別の構成において、首振りノズル２８の首振り軸Ｌ−Ｌは、首振りノズル２８が（図４の位置関係で）斜めに首振りしうるように、（図４の位置関係で）斜めにされてもよい。
さらに別の構成において、エアディフレクタ１２は、ヘアドライヤ１０の空気吹出口１６と係合された時に、エアディフレクタ１２の中心長手方向軸Ｍ−Ｍを含む、エアディフレクタ１２の中心長手方向軸Ｍ−Ｍと実質的に平行な軸を中心にヘアドライヤ１０に対して自由に回転可能であってもよく、それに対応して首振りノズル２８も同時に回転する。
【実施例２】
【００３０】
図１７〜図２６は、本発明の実施例２にかかるエアディフレクタ１２ａを示している。
このエアディフレクタ１２ａの構造は、以下の２点において実施例１のエアディフレクタ１２と異なり、その他の構成は同様である。
【００３１】
このエアディフレクタ１２ａと実施例１のエアディフレクタ１２の差違の１つは、ハウジング２４ａの範囲内で、かつ、１８０度未満の角度内で、ハウジング２４ａに対して軸Ｌａ−Ｌａを中心に軸着された首振りノズル２８ａの空気流出口３２ａの（図２０の位置関係で）左側部３８ａが右側部３６ａよりも厚く形成されている点である。
【００３２】
もう１つの重要な差違はロック機構にある。
図２１〜図２６により明確に示されているように、エアディフレクタ１２ａに係合されたスイッチ２６ａは、首振りノズル２８ａに固定された首振りノズル２８ａの突起６２ａに対向する凹部７０ａを備えたロック板６８ａを有する。
【００３３】
図２１、図２２、図２５、及び、図２６は、スイッチ２６ａが外側位置にある様子を示しており、その位置では、首振りノズル２８ａの突起６２ａはロック板６８ａの凹部７０ａと係合しない。
スイッチ２６ａがロック解除位置にある時、首振りノズル２８ａは内部を空気が通ると、ハウジング２４ａ内で軸Ｌａ−Ｌａを中心に首振りする。
【００３４】
首振りノズル２８ａが中央位置にある時に、スイッチ２６ａが首振りノズル２８ａに向かって内側のロック位置に移動されると、突起６２ａは、凹部７０ａ内に受け止められる。
かかる状態において、首振りノズル２８ａは内部に空気を通されても、ハウジング２４ａに対して軸Ｌａ−Ｌａを中心に首振りできない。
【００３５】
上記した実施例１及び実施例２において、首振りノズル２８、２８ａの重さが、その中心長手方向軸Ａ−Ａ及び首振り軸Ｌ−Ｌ、Ｌａ−Ｌａを含む長手方向平面に関して非対称に分布する効果は、首振りノズル２８、２８ａの一方の側を他方の側よりも厚くすることによってもたらされる。かかる効果は、以下のようにもたらすこともできると想到される。
【００３６】
対称の外形を有するが異なる密度の材料で形成された２つの本体半分を接合することによって首振りノズルを形成する。そのように形成された首振りノズルは、その中心長手方向軸及び首振り軸を含む長手方向平面に関して対称な外形を有するが、その重心は、より高い密度の材料で形成された本体半分に向かってこの平面から離れた位置にある。
首振りノズルの外形は、中心長手方向軸及び首振り軸を含む長手方向平面に関して対称であるが、首振りノズルの一方の側の材料の一部が除去され、その結果、首振りノズルの重心は、材料が取り除かれていない本体の側に向かってこの平面から離れた位置に存在する。
【００３７】
図２７〜図２９は、エアディフレクタ１２、１２ａの断面図であり、図２７は最も左の位置にある首振りノズル２８、２８ａを示し、図２８は中央位置にある首振りノズル２８、２８ａを示し、図２９は最も右の位置にある首振りノズル２８、２８ａを示している。
ヘアドライヤ１０から首振りノズル２８、２８ａを通して空気を流すと、首振りノズル２８、２８ａは、軸Ｌａ−Ｌａを中心に首振り運動して、それぞれ図２７、図２８、及び、図２９の矢印Ｔ、Ｓ、Ｒで示すように、エアディフレクタ１２、１２ａから出る空気の方向を連続的に変化させる。
エアディフレクタ１２、１２ａから出る（ひいては、ヘアドライヤ１０から出る）空気は、エアディフレクタ１２、１２ａを装着しない場合に比べて広い面積かつ広い角度に及ぼすことができる。
【００３８】
本発明に従ったエアディフレクタを取り付けた電気ヘアドライヤの性能を評価するために、以下の基本的な実験パラメータを用いて首振り回数の実験を行った：
入力電圧：２２０ボルト
出力ワット数／全出力：１８７５ワット
ヘアドライヤは、高速動作モード及び低速動作モードを有する。
【００３９】
2014151045.tif 000003
【００４０】
エアディフレクタの首振り運動が非常に高速であることを考えると、ユーザは、ヘアドライヤからの空気流のパルスを感じず、エアディフレクタがなくヘアドライヤ単独の場合よりも広い面積に及ぶ均一な温度の連続的な空気の流れを感じることができる。
【００４１】
本発明では、請求項１に対応する実施例１及び実施例２として、空気通路に首振りノズルを設けたエアディフレクタについて説明したが、本発明は、請求項２に対応するものとして、空気通路に首振りノズルを設けたヘアドライヤにも適用できる。
【００４２】
本発明のヘアドライヤについての実施例は省略したが、その構成は本発明のエアディフレクタと同様であって、間に空気通路を形成した空気吸込口及び空気吹出口と、空気吸込口を通して空気を引き込み空気吹出口を通して空気を放出するための空気流発生器と、空気通路内で空気流発生器の下流に設けられた首振りノズルを備えている。
首振りノズルは、空気流入口及び空気流出口を備え、空気流入口は、空気流発生器から（ひいては空気吸込口から）空気通路に流れる空気の全部または少なくとも一部を受け入れるよう構成され、空気流出口は、空気流入口が受け入れた空気が外に出ることを可能にする。
首振りノズルは、首振り軸を中心に１８０度未満の角度内で通路に対して通路内で首振り運動することによって首振りノズルから（ひいてはヘアドライヤから）出る空気の方向を連続的に変化させるように軸着されている。
首振りノズルは、空気吹出口の近くに配置されることが好ましい。
上述のエアディフレクタのすべての他の特徴（例えば、ロック／ロック解除機構、首振りノズルの形状及び構造、ならびに、毛髪処理装置に対する首振りノズルの別の配置方向）が、この構成に組み込まれてもよい。首振りノズルは、首振りノズルの中心長手方向軸Ａ−Ａを含む首振りノズルの中心長手方向軸Ａ−Ａと実質的に平行な軸を中心に通路に対して自由に回転可能であってもよい。
【００４３】
上述の記載は、本発明を実施するための例を説明しているにすぎず、本発明の精神から逸脱することなく、様々な変形及び／または変更を行うことができることを理解されたい。
また、明確にするために別個の実施形態に関して記載した本発明の特定の特徴を、単一の実施形態内に組み合わせて提供してもよいことを理解されたい。逆に、簡潔にするために単一の実施形態に関して記載した本発明の様々な特徴を、別個に提供してもよいし、それらの一部を含む任意の適切な組み合わせで提供してもよい。
【００４４】
次に、前記首振りノズル２８、２８ａの表面に、遠赤外線放射材料パウダーと多元素鉱物ミネラルパウダーを混合した混合パウダーをコーティングしたセラミックスコーティング層（図示せず）が設けられている。
【００４５】
前記セラミックスコーティング層は、遠赤外線パウダーと多元素鉱物ミネラルパウダーを混合した混合パウダーをコーティング剤である耐熱性フォーマイカに加えて塗料状にしたものを塗布し、これを加熱炉に通してコーティング剤を飛ばして（焼き付けて）形成している。混合パウダーの混合割合は、容積比で３〜１５％が望ましいが数値は変わってもよい。
【００４６】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたものを使用する。これらのパウダーは毛髪や頭皮の吸収に適した波長の遠赤外線を放射するようにブレンドして使用する。
【００４７】
多元素鉱物とは、例えば、真珠岩、松脂岩やトルマリン（電気石）のように珪素を主成分とし、多数の元素がバランスよく含まれている鉱物をいい、この鉱物は前記電磁波（微弱エネルギー）を出し、これを温風又は冷風として毛髪に当てると、毛髪中の水分をミネラル化して毛髪中の蛋白質を活性化する。
この多元素鉱物は、例えば、真珠岩をボールミル等で粉砕して多元素鉱物ミネラルパウダーを形成する。この場合の粉砕数値は１〜３ミクロンが望ましいが数値は変わってもよい。
多元素鉱物ミネラルパウダーは２種類以上を適宜配合して使用することが好ましい。この多元素鉱物ミネラルパウダーはそのまま使用してもよいし、これを水と混合し、加熱又は加圧した後、上澄み液を真空凍結乾燥や噴射乾燥により粉末にしたものを使用してもよい。
尚、真珠岩は下記の表１で示す成分からなるものである。
【００４８】
【表１】
2014151045.tif 000004
【００４９】
従って、エアディフレクタ１２の空気流出口２２又はヘアドライヤ１０の空気吹出口１６から放出される空気流は、首振りノズル２８、２８ａを通過する間に表面に設けたセラミックスコーティング層から放射される遠赤外線効果と電磁波効果を全体で受ける。
これにより毛髪や頭皮にダメージを与えることがなく、毛髪の潤い感とツヤ感を高め、しっとりサラサラでまとまりのある髪に仕上げることができる。
【実施例３】
【００５０】
図３０〜図３５は、本発明の実施例３にかかるヘアドライヤ１０の先端部を示している。
このヘアドライヤ１０は、ボディ筒部１０ａの内部に回転スリーブ８０がボディ筒部１０ａの軸方向の回りに回転可能に取り付けられ、この回転スリーブ８０に首振りノズル９が首振り軸Ｌ−Ｌを中心として首振可能に取り付けられている。
尚、図中Ｈは加熱素子（加熱フィラメント、加熱ヒータ）である。
【００５１】
前記回転スリーブ８０は、ボディ筒部１０ａの内部に固定したガイドリング１０ｂの環状凹部１０ｍに回転可能に嵌合する環状凸部８０ｍが回転スリーブ８０の外郭部８０ａに形成され、この外郭部８０ａに内側ファンネル８０ｂが後端部で一体に形成されている。
【００５２】
前記首振りノズル９は、前記実施例１、２と同様に形成され、前記内側ファンネル８０ｂを囲むようにピン９０、９１によって外郭部８０ａに軸着され、このピン９０、９１を通る首振り軸Ｌ−Ｌを中心として首振可能に取り付けられている。
【００５３】
前記ボディ筒部１０ａの先端に、前記回転スリーブ８０を回転させて首振りノズル９の首振り軸Ｌ−Ｌを回転操作させるためと、首振りノズル９の首振り動作をロック操作又は解除操作させるための先端操作筒１０ｃが軸方向にスライド可能に嵌め込まれている。
この場合、先端操作筒１０ｃから後ろ向きに延長してスライド板８１を設け、このスライド板８１を外郭部の先端から切り込み形成したガイド溝８２内に摺動可能に嵌め込むことで、先端操作筒１０ｃと回転スリーブ８０を回転方向に固定させながら先端操作筒１０ｃの軸方向へのスライドをガイドさせている。
【００５４】
前記先端操作筒１０ｃから後ろ向きに延長してロック板８３を設け、このロック板８３の先端に形成したロック溝８４を前記ピン９０の根元部分に形成した突起８５に係合又は離脱させることで首振りノズル９の首振り動作をロック又は解除させる。
即ち、前記先端操作筒１０ｃの軸方向へのスライドによって首振りノズル９の首振り動作をロック又は解除させることができる。
図３０に示すように、先端操作筒１０ｃを後向きにスライドさせると、ロック板８３のロック溝８４が突起８５に係合して首振りノズル９の首振り動作をロックさせることができ、又、図３１に示すように、先端操作筒１０ｃを前向きにスライドさせると、ロック板８３のロック溝８４が突起８５から離反して首振り動作のロックが解除して首振りノズル９の首振りが可能になる。
【００５５】
又、この実施例３では、首振りノズル９の首振り軸Ｌ−Ｌを回転させることで、首振りノズル９の首振り方向を自在に変更させることができる。
前記したように、先端操作筒１０ｃと回転スリーブ８０は回転方向に固定され、かつ回転スリーブ８０はボディ筒１０ａのガイドリング１０ｂに回転可能に嵌合されているため、先端操作筒１０ｃを回転させると、首振りノズル９を伴いながら回転スリーブ８０を軸方向の回りで回転させることができ、これにより首振りノズル９の首振り方向を簡単に変更できる。
【００５６】
実施例３では、回転スリーブ８０の外郭部８０ａの外周にバネ８６によって外向きに付勢されたクリックボール８７を設け、一方、ボディ筒１０ａのガイドリング１０ｂの内周に４５度間隔で８個の半球凹部８８を形成し、この半球凹部８８にクリックボール８７が嵌合することで、例えば、図３４に示すように首振り軸Ｌ−Ｌを垂直に位置決めさせで左右方向に首振りさせ、或いは図３５に示すように首振り軸Ｌ−Ｌを水平に位置決めさせて上下方向に首振りさせ、或いは、図示省略したが首振り軸Ｌ−Ｌを斜め４５度に位置決めさせることができる。
尚、実施例３では４５度間隔で首振り方向を変更できるようにしたが、この角度に限定はなく、無段階に変更できようにしてもよい。
【００５７】
実施例３で示した首振りノズル９のロック構造又はロック解除構造、及び首振りノズル９の首振り方向の変更構造は、実施例１、２で示したエアディフレクタに適用できる。
この場合、実施例３で示した回転スリーブ８０に相当するハウジング２４の後端部分４６を回転可能に取り付けると共に、この後端部分４６を回転させて首振りノズルの首振り軸を回転操作させるためと、首振りノズルの首振り動作をロック操作又は解除操作させるための操作手段を設けることになる。
【００５８】
又、この実施例３においても、前記首振りノズル９の表面に、遠赤外線放射材料パウダーと多元素鉱物ミネラルパウダーを混合した混合パウダーをコーティングしたセラミックスコーティング層（図示せず）が設けられている。
【符号の説明】
【００５９】
１０  ヘアドライヤ
１２  エアディフレクタ
１４  空気吸込み口
１６  空気吹出口
２４  ハウジング
２８  首振りノズル
３０  空気流入口
３２  空気流出口
３４  空気路
１０ｃ  先端操作筒
８０  回転スリーブ
９  首振りノズル
【図１】
2014151045.tif 000005
【図２】
2014151045.tif 000006
【図３】
2014151045.tif 000007
【図４】
2014151045.tif 000008
【図５】
2014151045.tif 000009
【図６】
2014151045.tif 000010
【図７】
2014151045.tif 000011
【図８】
2014151045.tif 000012
【図９】
2014151045.tif 000013
【図１０】
2014151045.tif 000014
【図１１】
2014151045.tif 000015
【図１２】
2014151045.tif 000016
【図１３】
2014151045.tif 000017
【図１４】
2014151045.tif 000018
【図１５】
2014151045.tif 000019
【図１６】
2014151045.tif 000020
【図１７】
2014151045.tif 000021
【図１８】
2014151045.tif 000022
【図１９】
2014151045.tif 000023
【図２０】
2014151045.tif 000024
【図２１】
2014151045.tif 000025
【図２２】
2014151045.tif 000026
【図２３】
2014151045.tif 000027
【図２４】
2014151045.tif 000028
【図２５】
2014151045.tif 000029
【図２６】
2014151045.tif 000030
【図２７】
2014151045.tif 000031
【図２８】
2014151045.tif 000032
【図２９】
2014151045.tif 000033
【図３０】
2014151045.tif 000034
【図３１】
2014151045.tif 000035
【図３２】
2014151045.tif 000036
【図３３】
2014151045.tif 000037
【図３４】
2014151045.tif 000038
【図３５】
2014151045.tif 000039